(57)【要約】【課題】フレーム内に設置されたボイスコイル５に通電することによって振動板７を振動させるスピーカユニットにおいて、ボイスコイル５から引き出されたリード線５１が早期に破断に至る虞がなく、然もリード線５１を振動板７に固定する作業が容易なスピーカユニットを提供する。【解決手段】本発明に係るスピーカユニットにおいて、振動板７には、ボイスコイル５よりも外側の外周部７２に、ボイスコイル５側から外周縁に向かって渦巻き状に屈曲して伸びる複数本のリブ７３が形成され、ボイスコイル５から引き出されたリード線５１が１本のリブ７３に添設されて屈曲線上を伸びている。【選択図】　　　図１
2004129080.tif 000002
【特許請求の範囲】
【請求項１】
フレーム（１）内に、外周縁を固定端として振動が可能な振動板（７）と、該振動板（７）の中央部（７１）に固定されたボイスコイル（５）と、該ボイスコイル（５）に磁界を作用させるマグネット（３）とが配備され、ボイスコイル（５）に通電することによって振動板（７）を振動させるスピーカユニットにおいて、
振動板（７）には、ボイスコイル（５）よりも外側の外周部（７２）に、ボイスコイル（５）側から外周縁に向かって渦巻き状に屈曲して伸びる複数本のリブ（７３）が形成され、ボイスコイル（５）から引き出されたリード線（５１）が１本のリブ（７３）に添設されて屈曲線上を伸び、その先端部が振動板（７）から突出して、フレーム（１）に設けたターミナル（１２）に接続されていることを特徴とするスピーカユニット。
【請求項２】
前記複数本のリブ（７３）は、ボイスコイル（５）が設置された振動板（７）の裏面に突設されている請求項１に記載のスピーカユニット。
【請求項３】
前記複数本のリブ（７３）は、ボイスコイル（５）が設置された振動板（７）の裏面に凹設されている請求項１に記載のスピーカユニット。
【発明の詳細な説明】
【０００１】
【発明の属する技術分野】
本発明は、ノート型電子計算機や携帯電話機等の小型電子機器に装備されるスピーカユニットに関するものである。
【０００２】
【従来の技術】
従来、この種のスピーカユニットは、例えば図７に示す如く、円筒状のフレーム（１）の前面開口部にカバー（１１）を設置して、扁平な樹脂ケースを構成しており、該ケース内には、円板状を呈する樹脂製の振動板（６）が設置され、該振動板（６）の外周縁がフレーム（１）の内周面に連結されている。該振動板（６）の裏面には、ボイスコイル（５）が固定されている。
又、フレーム（１）の中央部には、皿状のヨーク（２）が設置され、該ヨーク（２）の底面には、マグネット（３）及びポールピース（４）が設置されて、ヨーク（２）の内周面とポールピース（４）の外周面との間に、磁気ギャップを形成しており、該磁気ギャップ内に前記ボイスコイル（５）が配置されている。
ボイスコイル（５）から伸びるリード線（５１）は、振動板（６）の裏面に沿って伸び、その先端部が振動板（６）から突出して、フレーム（１）に設けたターミナル（１２）に半田付け（１３）されている。
【０００３】
振動板（６）は、ボイスコイル（５）の内側に位置するドーム状の中央部（６１）と、ボイスコイル（５）の外側に位置する断面円弧状の外周部（６２）とから構成され、外周部（６２）には、図５に示す如くボイスコイル（５）側から外周縁に向かって直線上を伸びる複数本のリブ（６３）が一体成型されている。振動板（６）は、これら複数本のリブ（６３）の形成によって、変形の自由度が大きくなり、外周縁を固定端として大きな振幅で振動することが可能となる。
ボイスコイル（５）から引き出されたリード線（５１）は、振動板（６）のリブ（６３）に添設されて直線上を伸び、この直線区間にて接着剤により振動板（６）に固定されている。
【０００４】
【特許文献１】
特開平８−２２８３９２号
【０００５】
【発明が解決しようとする課題】
しかしながら、従来のスピーカユニットにおいては、リード線（５１）が振動板（６）のリブ（６３）に沿って直線上を伸びているため、振動板（６）の振動に伴って引張方向及び屈曲方向の繰り返し応力を受けることにより金属疲労を起こし、早期に破断に至る問題があった。
そこで、図６に示す如く、ボイスコイル（５）から引き出されリード線（５１）を、振動板（６）の複数本のリブ（６３）を横切る屈曲線に沿って伸ばすことが考えられる。しかし、この場合、リード線（５１）はリブ（６３）によるガイドを受けることが出来ないため、所定の屈曲線に沿って伸ばすことが困難となり、作業性が悪化するばかりでなく、品質の安定を図ることが出来ない。
【０００６】
本発明の目的は、ボイスコイルから引き出されたリード線が早期に破断に至る虞がなく、然もリード線を振動板に固定する作業が容易なスピーカユニットを提供することである。
【０００７】
【課題を解決する為の手段】
本発明に係るスピーカユニットにおいては、フレーム（１）内に、外周縁を固定端として振動が可能な振動板（７）と、該振動板（７）の中央部（７１）に固定されたボイスコイル（５）と、該ボイスコイル（５）に磁界を作用させるマグネット（３）とが配備されている。振動板（７）には、ボイスコイル（５）よりも外側の外周部（７２）に、ボイスコイル（５）側から外周縁に向かって渦巻き状に屈曲して伸びる複数本のリブ（７３）が形成され、ボイスコイル（５）から引き出されたリード線（５１）が１本のリブ（７３）に添設されて屈曲線上を伸び、その先端部が振動板（７）から突出して、フレーム（１）に設けたターミナル（１２）に接続されている。
【０００８】
具体的構成において、前記複数本のリブ（７３）は、ボイスコイル（５）が設置された振動板（７）の裏面に突設され、或いは該裏面に凹設されている。
【０００９】
上記本発明のスピーカユニットにおいては、ボイスコイル（５）から引き出されたリード線（５１）が、振動板（７）のリブ（７３）に沿って屈曲線上を伸びているので、振動板（７）の振動に伴って自由に変形し、同じ部位に大きな応力が繰り返し作用することはない。従って、リード線（５１）が金属疲労によって早期に破断に至る虞はない。
又、ボイスコイル（５）から引き出されたリード線（５１）は、振動板（７）のリブ（７３）に添設せしめることによって、屈曲線上を伸ばすことが出来るので、その作業は容易なものとなる。
【００１０】
【発明の効果】
本発明に係るスピーカユニットによれば、ボイスコイルから引き出されたリード線が早期に破断に至る虞がなく、然もリード線を振動板に固定する作業は容易である。
【００１１】
【発明の実施の形態】
以下、本発明を図７に示すスピーカユニットに実施した形態につき、図面に沿って具体的に説明する。
本発明に係るスピーカユニットは、図７に示す如く、円筒状のフレーム（１）の前面開口部にカバー（１１）を設置して、扁平な樹脂ケースを構成しており、フレーム（１）の中央部には、皿状のヨーク（２）が設置され、該ヨーク（２）の底面には、マグネット（３）及びポールピース（４）が設置されて、ヨーク（２）の内周面とポールピース（４）の外周面との間に、磁気ギャップを形成しており、該磁気ギャップ内にボイスコイル（５）が配置されている。
【００１２】
フレーム（１）内には、図１及び図２に示す如く円板状を呈する樹脂製の振動板（７）が設置され、該振動板（７）の外周縁が前記フレーム（１）の内周面に連結され、該振動板（７）の裏面に前記ボイスコイル（５）が固定されている。
振動板（７）は、ボイスコイル（５）の内側に位置するドーム状の中央部（７１）と、ボイスコイル（５）の外側に位置する断面円弧状の外周部（７２）とから構成され、外周部（７２）には、図１に示す如くボイスコイル（５）側から外周縁に向かって渦巻き状に伸びる複数本のリブ（７３）が一体成型されている。
【００１３】
振動板（７）のリブ（７３）は、図３に示す如く、ボイスコイル（５）が設置された裏面に断面円弧状に突設され、或いは図４に示す如く、ボイスコイル（５）が設置された裏面に断面円弧状に凹設されている。振動板（７）は、これら複数本のリブ（７３）の形成によって、変形の自由度が大きくなり、外周縁を固定端として大きな振幅で振動することが可能となる。
【００１４】
ボイスコイル（５）から引き出されたリード線（５１）は、図１の如く振動板（７）のリブ（７３）に添設されて屈曲線上を伸び、この屈曲区間にて接着剤により振動板（７）に固定されている。
そして、リード線（５１）の先端部が振動板（７）から突出して、前記フレーム（１）に設けたターミナル（１２）に半田付け（１３）されている。
【００１５】
上記本発明のスピーカユニットによれば、ボイスコイル（５）から引き出されたリード線（５１）が、振動板（７）のリブ（７３）に沿って屈曲線上を伸びているので、振動板（７）の振動に伴って自由に変形し、同じ部位に大きな応力が繰り返し作用することはない。従って、リード線（５１）が金属疲労によって早期に破断に至る虞はない。
又、ボイスコイル（５）から引き出されたリード線（５１）は、振動板（７）のリブ（７３）に添設せしめることによって、屈曲線上を伸ばすことが出来るので、その作業は容易なものとなり、これによって品質の安定化を図ることが可能である。
【図面の簡単な説明】
【図１】本発明に係るスピーカユニットに装備される振動板及びボイスコイルの裏面図である。
【図２】同上の振動板及びボイスコイルの断面図である。
【図３】振動板の裏面にリブを突設した場合における図２のＡ部の拡大図である。
【図４】振動板の裏面にリブを凹設した場合における図２のＡ部の拡大図である。
【図５】従来の振動板の裏面図である。
【図６】従来の他の振動板の裏面図である。
【図７】スピーカユニットの断面図である。
【符号の説明】
（１）　フレーム
（１２）　ターミナル
（２）　ヨーク
（３）　マグネット
（４）　ポールピース
（５）　ボイスコイル
（５１）　リード線
（７）　振動板
（７１）　中央部
（７２）　外周部
（７３）　リブ
【図１】
2004129080.tif 000003
【図２】
2004129080.tif 000004
【図３】
2004129080.tif 000005
【図４】
2004129080.tif 000006
【図５】
2004129080.tif 000007
【図６】
2004129080.tif 000008
【図７】
2004129080.tif 000009